Podtech/llm-jp-corpus-v4-ja_patent huggingface dataset:
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
回転駆動装置における回転軸の先端に備えたチャック装置に着脱される回転切削工具の動力伝達用ソケットであって、前記チャック装置に保持される取付軸部を備えたソケット本体に、センタドリルを着脱交換自在なドリル取付穴及び環状切削工具を着脱交換自在な環状工具取付部を備え、前記取付軸部は、前記ドリル取付穴の反対側において前記ソケット本体に一体に備えられた第１軸部を備えており、この第１軸部の先端面に、当該第１軸部よりも小径の正多角形状の第２軸部を同軸に備え、この第２軸部の先端部付近に、回転駆動装置におけるチャック装置に備えたロック片が係合離脱自在な周溝を備えていることを特徴とする動力伝達用ソケット。
【請求項２】
請求項１に記載の動力伝達用ソケットにおいて、前記チャック装置はアンビルチャックであって、前記第１軸部の先端面は、前記周溝に対して前記ロック片を係合離脱する際の、アンビルの突当て基準面を構成していることを特徴とする動力伝達用ソケット。
【請求項３】
請求項１又は２に記載の動力伝達用ソケットにおいて、前記周溝から前記第２軸部の先端部までの寸法は、当該周溝から前記第１軸の先端面までの寸法よりも小さいことを特徴とする動力伝達用ソケット。
【請求項４】
請求項１〜３のいずれかに記載の動力伝達用ソケットにおいて、前記ソケット本体における大径部の軸方向の長さは、前記第１軸部の長さにほぼ等しいことを特徴とする動力伝達用ソケット。
【請求項５】
回転駆動装置における回転軸の先端に備えたチャック装置に着脱される回転切削工具の動力伝達用ソケットであって、前記チャック装置に保持される取付軸部を備え、前記取付軸部は、ソケット本体に一体に備えられた第１軸部を備えており、前記第１軸部の先端面に、当該第１軸部よりも小径の第２軸部を同軸に備え、この第２軸部の先端部付近に、回転駆動装置におけるチャック装置に備えたロック片が係合離脱自在な周溝を備え、前記周溝から前記第２軸部の先端部までの寸法は、当該周溝から前記第１軸部の先端面までの寸法よりも小さいことを特徴とする動力伝達用ソケット。
【手続補正２】
【補正対象書類名】明細書
【補正対象項目名】０００８
【補正方法】変更
【補正の内容】
【０００８】
本発明は、前述のごとき問題に鑑みてなされたもので、回転駆動装置における回転軸の先端に備えたチャック装置に着脱される回転切削工具の動力伝達用ソケットであって、前記チャック装置に保持される取付軸部を備えたソケット本体に、センタドリルを着脱交換自在なドリル取付穴及び環状切削工具を着脱交換自在な環状工具取付部を備え、前記取付軸部は、前記ドリル取付穴の反対側において前記ソケット本体に一体に備えられた第１軸部を備えており、この第１軸部の先端面に、当該第１軸部よりも小径の正多角形状の第２軸部を同軸に備え、この第２軸部の先端部付近に、回転駆動装置におけるチャック装置に備えたロック片が係合離脱自在な周溝を備えていることを特徴とするものである。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正書】
【提出日】平成31年4月1日(2019.4.1)
【手続補正１】
【補正対象書類名】明細書
【補正対象項目名】０００８
【補正方法】変更
【補正の内容】
【０００８】
前記課題を解決するため、本発明は、回転自在に支持された下定盤と、昇降自在且つ回転自在に支持された上定盤と、前記上定盤と下定盤との間に配置され、該上定盤と下定盤とで研磨されるワークを保持するキャリアとを有し、前記キャリアに保持されたワークを前記上定盤と下定盤とで挟持して前記ワークの両面を研磨する平面研磨装置であって、前記キャリアは、少なくとも一部が透光性を有する材料で形成され、前記上定盤に取り付けられ、前記ワークにレーザー光を照射して該ワークの表面及び裏面からの反射光を受光することにより該ワークの厚さを測定する第１厚さ測定器と、前記上定盤及び前記下定盤の回転の影響を受けない位置に取り付けられ、前記キャリアにレーザー光を照射して該キャリアの表面及び裏面からの反射光を受光することにより該キャリアの厚さを測定する第２厚さ測定器とを有することを特徴とする。
【手続補正２】
【補正対象書類名】明細書
【補正対象項目名】００２０
【補正方法】変更
【補正の内容】
【００２０】
平面研磨装置１には、ワークＷの厚さとキャリア４０の厚さとを測定し、それらの厚さの差（ギャップ）が所定の値になった時点で研磨を終了するというギャップ管理方式の研磨を行うため、レーザー光でワークＷの厚さとキャリア４０の厚さとを測定するための厚さ測定装置が設けられている。それについて以下に説明する。
機体２には、レーザー光を出力する光源３と、演算制御部４とが設置され、上定盤２０には、レーザー光を用いてワークＷの厚さを測定するための第１厚さ測定器２１ａが設けられ、光源３と第１厚さ測定器２１ａとが、光ファイバー５１ａにより、ロータリコネクタ６を介して接続されている。上定盤２０及び下定盤１０の回転の影響を受けない位置には、キャリア４０の厚さを測定するための第２厚さ測定器２１ｂが設置されている。第２厚み測定器２１ｂと光源３とは光ファイバー５１ｂによって接続されている。また、光源３は演算制御部４に接続されている。また、本実施形態では、光源３から出力されるレーザー光は赤外線レーザーであるが、ワークＷとキャリア４０のいずれの厚さも測定できるものであれば、他のレーザーであってもよい。
【手続補正３】
【補正対象書類名】明細書
【補正対象項目名】００２１
【補正方法】変更
【補正の内容】
【００２１】
ワークＷ及びキャリア４０の厚さ測定のための機構について、さらに詳細に説明する。
支持スタッド３３にはホルダー３６が固定されており、このホルダー３６に第１厚さ測定器２１ａを保持することで、第１厚さ測定器（プローブヘッド）２１ａが上定盤２０の上側に取り付けられている。すなわち、第１厚さ測定器２１ａは、上定盤２０と共に回転するように設けられている。なお、第１厚さ測定器２１ａは上定盤２０と共に回転するように取り付けられていればよく、支持スタッド３３以外の箇所に固定されていても構わない。この第１厚さ測定器２１ａの直下には、上定盤２０を上下に貫通する第１厚さ測定孔２３ａが形成されている。第１厚さ測定孔２３ａには、ワーク用測定窓２４ａが取り付けられている。このワーク用測定窓２４ａは、合成樹脂製やガラス製などの筒状体で、第１厚さ測定孔２３ａの口径と略等しい外径を有し、該ワーク用測定窓２４ａの上端には、第１厚さ測定孔２３ａの直径よりも大径のフランジ部２５ａが設けられており、そのフランジ部２５ａを上定盤２０の表面に係合させることにより取り付けられている。また、該ワーク用測定窓２４ａの下端には、透光性を有する窓板２６ａが設けられている。このように、第１厚さ測定器２１ａは常に第１厚さ測定孔２３ａの直上に位置することとなり、ワークＷの厚さに関する測定データ数をより多く得ることができる。
また、図２に示すように、第１厚さ測定孔２３ａは、研磨加工中にワークＷの中心付近の直上を通過する範囲Ｅに形成されている。これにより、第１厚さ測定孔２３ａがワークＷの中心又は中心付近を通過するようにワークＷの厚さを測定することができ、その結果、ワークＷの厚さに関する測定データをより一層多く得ることができる。
【手続補正４】
【補正対象書類名】明細書
【補正対象項目名】００２８
【補正方法】変更
【補正の内容】
【００２８】
なお、本実施形態では、第１厚さ測定器２１ａと第２厚さ測定器２１ｂ、及び第１厚さ測定孔２３ａと第２厚さ測定孔２３ｂは、軸線Ｌから等距離となるように上定盤２０に形成されている。しかしながら、装置構造を勘案し、第１厚さ測定器２１ａと第１厚さ測定孔２３ａ、又は第２厚さ測定器２１ｂと第２厚さ測定孔２３ｂは、軸線Ｌからの距離を異なる距離となる位置に形成してもよい。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
被測定者の手首に装着して用いられる脈波検出装置であって、
前記被測定者の橈骨動脈から脈波を検出可能な検出部を含む本体部と、
前記本体部を前記手首に固定するための帯状のバンドと、
前記バンドに対して着脱可能に構成された装着補助部材と、を備え、
前記バンドは、前記装着補助部材の装着箇所では、該装着補助部材を介して前記手首に接触し、
前記装着補助部材は、前記手首との接触面に、前記バンドに装着された状態での前記バンドの短手方向における両端部と、前記両端部の間に形成された、尺骨の突起が挿入可能な凹部と、を有し、
前記装着補助部材は、前記装着補助部材が装着された前記バンドによって前記本体部が前記手首に固定された固定状態において、前記尺骨の突起が前記凹部に入り、前記両端部が前記手首と接触するように固定される脈波検出装置。
【請求項２】
請求項１記載の脈波検出装置であって、
前記装着補助部材の前記手首と接触する面は、前記手首の周方向に沿って湾曲している脈波検出装置。
【請求項３】
請求項１又は２項記載の脈波検出装置であって、
前記装着補助部材の前記両端部の前記手首との接触面は、前記バンドの短手方向及び長手方向のそれぞれに直交する方向における位置が異なっている脈波検出装置。
【請求項４】
請求項１〜３のいずれか１項記載の脈波検出装置であって、
前記装着補助部材の前記手首と接触する面は弾性部材により覆われている脈波検出装置。
【請求項５】
請求項１〜４のいずれか１項記載の脈波検出装置と、
前記脈波検出装置によって検出された脈波に基づいて生体情報を算出する生体情報算出部と、を備える生体情報測定装置。
【請求項６】
被測定者の手首の橈骨動脈から脈波を検出可能な検出部を含む本体部と、前記本体部を前記手首に固定するための帯状のバンドとを有する脈波検出装置の装着補助部材であって、
前記バンドに対して着脱可能に構成され、
前記装着補助部材の装着箇所では、前記バンドに代わって前記手首に接触し、
前記手首との接触面に、前記バンドに装着された状態での前記バンドの短手方向における両端部と、前記両端部の間に形成された、尺骨の突起が挿入可能な凹部と、を有し、
前記装着補助部材が装着された前記バンドによって前記本体部が前記手首に固定された固定状態において、前記尺骨の突起が前記凹部に入り、前記両端部が前記手首と接触するように固定される装着補助部材。
【請求項７】
請求項６記載の装着補助部材であって、
前記装着補助部材の前記手首と接触する面は、前記手首の周方向に沿って湾曲している装着補助部材。
【請求項８】
請求項６又は７項記載の装着補助部材であって、
前記装着補助部材の前記両端部の前記手首との接触面は、前記バンドの短手方向及び長手方向のそれぞれに直交する方向における位置が異なっている装着補助部材。
【請求項９】
請求項６〜８のいずれか１項記載の装着補助部材であって、
前記手首と接触する面は弾性部材により覆われている装着補助部材。
【手続補正２】
【補正対象書類名】明細書
【補正対象項目名】００１１
【補正方法】変更
【補正の内容】
【００１１】
本発明の脈波検出装置は、被測定者の手首に装着して用いられる脈波検出装置であって、前記被測定者の橈骨動脈から脈波を検出可能な検出部を含む本体部と、前記本体部を前記手首に固定するための帯状のバンドと、前記バンドに対して着脱可能に構成された装着補助部材と、を備え、前記バンドは、前記装着補助部材の装着箇所では、該装着補助部材を介して前記手首に接触し、前記装着補助部材は、前記手首との接触面に、前記バンドに装着された状態での前記バンドの短手方向における両端部と、前記両端部の間に形成された、尺骨の突起が挿入可能な凹部と、を有し、前記装着補助部材は、前記装着補助部材が装着された前記バンドによって前記本体部が前記手首に固定された固定状態において、前記尺骨の突起が前記凹部に入り、前記両端部が前記手首と接触するように固定されるものである。
【手続補正３】
【補正対象書類名】明細書
【補正対象項目名】００１３
【補正方法】変更
【補正の内容】
【００１３】
本発明の脈波検出装置の装着補助部材は、被測定者の手首の橈骨動脈から脈波を検出可能な検出部を含む本体部と、前記本体部を前記手首に固定するための帯状のバンドとを有する脈波検出装置の装着補助部材であって、前記バンドに対して着脱可能に構成され、前記装着補助部材の装着箇所では、前記バンドに代わって前記手首に接触し、前記手首との接触面に、前記バンドに装着された状態での前記バンドの短手方向における両端部と、前記両端部の間に形成された、尺骨の突起が挿入可能な凹部と、を有し、前記装着補助部材が装着された前記バンドによって前記本体部が前記手首に固定された固定状態において、前記尺骨の突起が前記凹部に入り、前記両端部が前記手首と接触するように固定されるものである。
【手続補正４】
【補正対象書類名】明細書
【補正対象項目名】００６７
【補正方法】変更
【補正の内容】
【００６７】
また、装着補助部材３０は、固定状態において手首Ｗの橈骨Ｔ近傍と接触する位置に装着されて使用されてもよい。例えば図９に示すように、第２係止部２７の付近においてバンド４０に装着することも可能である。図９に示す装着状態の場合は、装着補助部材３０の裏面は手首Ｗの橈骨Ｔ近傍と接触する。手首Ｗの橈骨Ｔ近傍とは、手首Ｗにおいて橈骨Ｔを指で触ることのできる程度の範囲のことを言う。
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
第一の方向に並ぶ複数の圧力検出素子からなる２つの素子列が前記第一の方向に直交する第二の方向に間隔を空けて配列されたセンサ部と、
前記第一の方向が生体の体表面下の動脈の伸びる方向と交差する状態で前記体表面に前記センサ部を押圧する押圧部と、
前記第一の方向に伸びる第一の軸と前記第二の方向に伸びる第二の軸の各々の周りに前記センサ部を回転させる回転機構と、を備え、
前記２つの素子列の前記第二の方向の配列間隔が、５ｍｍ以上１５ｍｍ以下であり、
前記第二の軸の周りの回転角度が最適角度に制御され、且つ、前記第一の軸の周りの回転角度が最適角度に制御された状態で前記圧力検出素子が検出する圧力信号の交流成分の大きさに基づいて前記複数の圧力検出素子の中から最適圧力検出素子が決定され、前記最適圧力検出素子の検出する圧力信号から生体情報が算出される脈波検出装置。
【請求項２】
請求項１記載の脈波検出装置と、
前記最適圧力検出素子により検出された圧力信号に基づいて生体情報を算出する生体情報算出部と、を備える生体情報測定装置。
【手続補正２】
【補正対象書類名】明細書
【補正対象項目名】０００７
【補正方法】変更
【補正の内容】
【０００７】
本発明の脈波検出装置は、第一の方向に並ぶ複数の圧力検出素子からなる２つの素子列が前記第一の方向に直交する第二の方向に間隔を空けて配列されたセンサ部と、前記第一の方向が生体の体表面下の動脈の伸びる方向と交差する状態で前記体表面に前記センサ部を押圧する押圧部と、前記第一の方向に伸びる第一の軸と前記第二の方向に伸びる第二の軸の各々の周りに前記センサ部を回転させる回転機構と、を備え、前記２つの素子列の前記第二の方向の配列間隔が、５ｍｍ以上１５ｍｍ以下であり、前記第二の軸の周りの回転角度が最適角度に制御され、且つ、前記第一の軸の周りの回転角度が最適角度に制御された状態で前記圧力検出素子が検出する圧力信号の交流成分の大きさに基づいて前記複数の圧力検出素子の中から最適圧力検出素子が決定され、前記最適圧力検出素子の検出する圧力信号から生体情報が算出されるものである。
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
プレイヤー端末と、前記プレイヤー端末とネットワークを介して通信可能に接続されるサーバー装置を有するゲームシステムであって、
前記サーバー装置は、
複数のキャラクターから構成される投票ユニットを編成するステップと、
前記投票ユニットを構成する複数のキャラクターが配置された投票画面を、前記プレイヤー端末に表示させるステップを実行し、
前記プレイヤー端末は、
前記投票画面に表示された前記投票ユニットを構成する複数のキャラクターの中からいずれかのキャラクターを、プレイヤーの操作によって選択させるステップと、
前記プレイヤーの操作によってキャラクターが選択されたことにより、その選択されたキャラクターに対する投票要求を、ネットワークを介してサーバー装置へ送信するステップを実行し、
前記サーバー装置は、さらに、
ネットワークを介して前記プレイヤー端末から送信された前記投票要求を受信することにより、その選択されたキャラクターの投票数をカウントするステップを実行する、
ことを特徴とするゲームシステム。
【請求項２】
請求項１に記載のゲームシステムであって、
前記サーバー装置は、
前記投票ユニットを編成するステップでは、複数のキャラクターから構成される投票ユニットを複数編成する、
ことを特徴とするゲームシステム。
【請求項３】
請求項２に記載のゲームシステムであって、
前記サーバー装置は、
複数のキャラクターから構成される投票ユニットが複数編成されると、その編成された複数の投票ユニットの中からいずれかの投票ユニットを選択するステップをさらに実行する、
ことを特徴とするゲームシステム。
【請求項４】
請求項３に記載のゲームシステムであって、
前記サーバー装置は、
前記投票画面を前記プレイヤー端末に表示させるステップでは、複数の投票ユニットの中からいずれかの投票ユニットが選択されると、その選択された投票ユニットを構成する複数のキャラクターの中からいずれかのキャラクターをプレイヤーに選択させるための投票画面を、前記プレイヤー端末に表示させる、
ことを特徴とするゲームシステム。
【請求項５】
サーバー装置とネットワークを介して通信可能に接続されるプレイヤー端末に、
前記サーバー装置によって編成された投票ユニットを構成する複数のキャラクターが配置された投票画面を、前記プレイヤー端末の表示部に表示するステップと、
前記投票画面が前記表示部に表示されている際に、前記投票ユニットを構成する複数のキャラクターの中からいずれかのキャラクターを、プレイヤーの操作によって選択させるステップと、
前記プレイヤーの操作によってキャラクターが選択されたことにより、その選択されたキャラクターに対する投票要求を、ネットワークを介してサーバー装置へ送信するステップと、
を実行させるための端末プログラム。
【請求項６】
プレイヤー端末とネットワークを介して通信可能に接続されるサーバー装置に、
複数のキャラクターから構成される投票ユニットを編成するステップと、
前記投票ユニットを構成する複数のキャラクターの中からいずれかのキャラクターをプレイヤーに選択させるための投票画面を、前記プレイヤー端末に表示させるステップと、
前記プレイヤーによって選択されたキャラクターに対する投票要求を前記プレイヤー端末からネットワークを介して受信することにより、その選択されたキャラクターの投票数をカウントするステップと、
を実行させるためのサーバープログラム。
【手続補正２】
【補正対象書類名】明細書
【補正対象項目名】発明の名称
【補正方法】変更
【補正の内容】
【発明の名称】ゲームシステム、端末プログラム、及び、サーバープログラム
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
遊技毎に遊技媒体の投入を受け付けて投入された遊技媒体を投入状態に設定し、規定投入数に相当する遊技媒体が投入状態に設定されたことに基づいて遊技開始操作を有効化する投入受付手段と、
小役を含む複数種類の役の当否を決定する内部抽選を行う内部抽選手段と、
前記遊技開始操作に基づいて前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役が入賞した場合に、入賞した小役の配当に基づいて遊技媒体を払い出す制御を行う払出制御手段と、
通常演出状態と特別演出状態とを含む複数種類の演出状態の間で演出状態を移行させ、前記通常演出状態において演出状態を前記特別演出状態に移行させるか否かを決定し、前記特別演出状態において第１カウンタの値を更新して前記第１カウンタの値がしきい値に達したこと基づいて前記特別演出状態を終了させる演出状態制御手段と、
少なくとも前記特別演出状態において第２カウンタの値を更新して前記第２カウンタの値がしきい値に達したことに基づいて演出状態を前記通常演出状態に初期化する初期化処理を実行する初期化手段と、
前記特別演出状態である場合に所定の役の入賞を補助する入賞補助演出を演出装置に実行させる制御を行う演出制御手段とを備えた遊技機であって、
前記第２カウンタは、投入された遊技媒体の数と払い出した遊技媒体の数との差をカウントし、
前記演出状態制御手段が、
前記特別演出状態において所定条件が成立した場合に前記第１カウンタが現在の値からしきい値に達するまでにカウントするカウント数が多くなるようにし、
前記初期化手段が、
前記特別演出状態において前記第２カウンタの値がしきい値に達した場合には前記第１カウンタの値がしきい値に達していなくても強制的に前記特別演出状態を終了させてから前記初期化処理を実行することを特徴とする遊技機。
【請求項２】
外周面に複数種類の図柄が配列されている複数のリールと、
遊技毎に遊技媒体の投入を受け付けて投入された遊技媒体を投入状態に設定し、規定投入数に相当する遊技媒体が投入状態に設定されたことに基づいて遊技開始操作を有効化する投入受付手段と、
小役を含む複数種類の役の当否を決定する内部抽選を行う内部抽選手段と、
前記遊技開始操作に基づいて前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役が入賞した場合に、入賞した小役の配当に基づいて遊技媒体を払い出す制御を行う払出制御手段と、
通常演出状態と特別演出状態とを含む複数種類の演出状態の間で演出状態を移行させ、前記通常演出状態において演出状態を前記特別演出状態に移行させるか否かを決定し、前記特別演出状態において第１カウンタの値を更新して前記第１カウンタの値がしきい値に達したこと基づいて前記特別演出状態を終了させる演出状態制御手段と、
少なくとも前記特別演出状態において第２カウンタの値を更新して前記第２カウンタの値がしきい値に達したことに基づいて演出状態を前記通常演出状態に初期化する初期化処理を実行する初期化手段と、
前記特別演出状態である場合に所定の役の入賞を補助する入賞補助演出を演出装置に実行させる制御を行う演出制御手段とを備えた遊技機であって、
前記第２カウンタは、投入された遊技媒体の数と払い出した遊技媒体の数との差をカウントし、
前記演出状態制御手段が、
前記特別演出状態において所定条件が成立した場合に前記第１カウンタが現在の値からしきい値に達するまでにカウントするカウント数が多くなるようにし、
前記初期化手段が、
前記特別演出状態において前記第２カウンタの値がしきい値に達した場合には前記第１カウンタの値がしきい値に達していなくても前記初期化処理によって強制的に前記特別演出状態を終了させることを特徴とする遊技機。
【請求項３】
請求項１または２において、
前記演出状態制御手段が、
演出状態を前記特別演出状態に移行させることを決定した場合に特定遊技区間において演出状態を前記特別演出状態に設定し、
前記初期化手段が、
前記特定遊技区間を含む複数種類の遊技区間の間で遊技区間を移行させ、前記特定遊技区間に移行したことに基づいて前記第２カウンタの値の更新を開始し、前記特定遊技区間では前記第２カウンタの値を、投入された遊技媒体の数と払い出した遊技媒体の数との差をカウントするように更新することを特徴とする遊技機。
【請求項４】
請求項３において、
前記初期化手段が、
前記特定遊技区間において前記第１カウンタの値がしきい値に達したこと基づいて前記特別演出状態が終了して前記通常演出状態に滞在することになっても前記特定遊技区間を継続させる場合が存在し、当該特定遊技区間では演出状態の変動に関わらずに継続して前記第２カウンタの値を更新して前記第２カウンタの値がしきい値に達したことに基づいて前記特定遊技区間を終了させることを特徴とする遊技機。
【請求項５】
請求項３または４において、
前記第２カウンタは、投入された遊技媒体の数と払い出した遊技媒体の数との差である差枚数が前記特定遊技区間において最低となった状況からの前記差枚数をカウントし、
前記初期化手段が、
前記差枚数が前記特定遊技区間において最低となった状況からの前記差枚数が所定の上限数に達したことに基づいて前記特定遊技区間を終了させることを特徴とする遊技機。
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
遊技毎に遊技媒体の投入を受け付けて投入された遊技媒体を投入状態に設定し、規定投入数に相当する遊技媒体が投入状態に設定されたことに基づいて遊技開始操作を有効化する投入受付手段と、
小役を含む複数種類の役の当否を決定する内部抽選を行う内部抽選手段と、
前記遊技開始操作に基づいて前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されていることに基づいて、役が入賞したと判定する入賞判定手段と、
前記小役が入賞した場合に、入賞した小役の配当に基づいて遊技媒体を払い出す制御を行う払出制御手段と、
特定遊技区間において特別演出状態を含む複数種類の演出状態の間で演出状態を移行させる制御を行う演出状態制御手段と、
前記特定遊技区間を含む複数種類の遊技区間の間で遊技区間を移行させ、前記特定遊技区間では投入された遊技媒体の数と払い出した遊技媒体の数との差である差枚数をカウントし、前記差枚数が予め定められた上限数に達するまで前記特定遊技区間を継続させ、前記差枚数が前記上限数に達したことに基づいて前記特定遊技区間の終了条件が成立したと判断して前記特定遊技区間を終了させる遊技区間制御手段と、
前記特別演出状態である場合に所定の役の入賞を補助する入賞補助演出を演出装置に実行させる制御を行う演出制御手段とを備えた遊技機であって、
前記遊技区間制御手段が、
前記特定遊技区間の終了条件の成立時において演出状態が前記特別演出状態である場合には当該特別演出状態も終了させることを特徴とする遊技機。
【請求項２】
請求項１において、
前記遊技区間制御手段が、
前記特定遊技区間に移行したことに基づいて前記差枚数のカウントを開始することを特徴とする遊技機。
【請求項３】
請求項１または２において、
前記遊技区間制御手段が、
前記特定遊技区間において前記差枚数が最低となった状況からの前記差枚数が前記上限数に達したことに基づいて前記特定遊技区間を終了させることを特徴とする遊技機。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
医用画像診断装置によって撮影された被検体の乳房を示す第１画像と、当該第１画像に対応付けられた読影情報を記憶する記憶部と、
前記読影情報に基づく関心領域の位置情報と読影方向の情報とに基づき、乳房の模式図上に前記関心領域の位置に関する情報を付加するための模式図情報を生成する位置特定部と、
前記模式図情報を含む、前記模式図を生成するための情報を送信する送信部と
を有する医用画像処理装置。
【請求項２】
前記関心領域の位置に関する情報は、前記関心領域を通過する線である請求項１記載の医用画像処理装置。
【請求項３】
前記第１画像は、前記被検体の乳房に対してＸ線を照射することで取得されるマンモグラフィ画像である請求項１記載の医用画像処理装置。
【請求項４】
前記第１画像は、多方向から撮影した複数のＸ線画像を再構成することにより、被検体の乳房の任意断面におけるＸ線像を取得することが可能なトモシンセシス検査によって取得される請求項１に記載の医用画像処理装置。
【請求項５】
医用画像診断装置によって撮影された被検体の乳房を示す第１画像と、当該第１画像に対応付けられた読影情報を記憶する記憶部と、
前記第１画像を表示装置上に表示する際のレイアウトを、前記表示装置に関する情報に基づいて決定する決定部と、
前記決定されたレイアウトと、前記第１画像に対応付けられた前記読影情報とに基づいて第２画像を生成する生成部と、
前記表示装置に対して前記第１画像及び前記第２画像を送信する送信部と、
を有する医用画像処理装置。
【請求項６】
前記表示装置はネットワークを介して接続され、
前記決定部は、前記表示装置に関する情報を、前記ネットワークを介して取得する、請求項５記載の医用画像処理装置。
【請求項７】
前記第１画像は、前記被検体の乳房に対してＸ線を照射することで取得されるマンモグラフィ画像である請求項５に記載の医用画像処理装置。
【請求項８】
前記第１画像は、多方向から撮影した複数のＸ線画像を再構成することにより、被検体の乳房の任意断面におけるＸ線像を取得することが可能なトモシンセシス検査によって取得される請求項５に記載の医用画像処理装置。
【請求項９】
前記決定部は、前記第１画像上において設定される関心領域が無い場合には、前記第２画像の生成は不要と決定する請求項５から８の少なくとも１つに記載の医用画像処理装置。
【請求項１０】
前記決定部は、前記表示装置における表示領域に関する情報に基づいて前記レイアウトを決定する請求項５から８の少なくとも１つに記載の医用画像処理装置。
【請求項１１】
前記決定部は、前記レイアウトを、前記表示装置における表示領域に応じて、前記第１画像上の乳房を示す領域外に前記読影情報を表示したものである第１レイアウトと、前記第１画像外の別の領域に表示する第２レイアウトとから選択する請求項５から７の少なくとも１つに記載の医用画像処理装置。
【請求項１２】
前記決定部は、前記第２画像の少なくとも一部の色を、前記第１画像とは異なる色の前記レイアウトに決定する請求項５から８の少なくとも１つに記載の医用画像処理装置。
【請求項１３】
オペレータからの入力情報を受け付ける入力部を更に有し、
前記決定部は、オペレータから前記第１画像上において異常所見が無い旨の入力を、前記入力部を介して受け付けると、前記第１画像を前記表示装置に送信しないことを決定する請求項５から７の少なくとも１つに記載の医用画像処理装置。
【請求項１４】
オペレータからの入力情報を受け付ける入力部を更に有し、
前記決定部は、オペレータから前記第１画像上において異常所見が無い旨の入力を、前記入力部を介して受け付けると、前記第１画像のデータ容量を小さくして前記表示装置に送信することを決定する請求項５から７の少なくとも１つに記載の医用画像処理装置。
【請求項１５】
前記生成部は、前記第１画像と前記第２画像にそれぞれ異なる情報を付与した状態において、前記第１画像及び前記第２画像を同一のＤＩＣＯＭファイルに格納する請求項５から８の少なくとも１つに記載の医用画像処理装置。
【請求項１６】
前記生成部は、前記第１画像に対応するＤＩＣＯＭファイルに対して、前記読影情報を付帯情報として格納する請求項５から８の少なくとも１つに記載の医用画像処理装置。
【請求項１７】
前記生成部は、複数の前記第１画像を合成した合成画像を生成し、当該合成画像に対応した前記第２画像を生成する請求項５から８の少なくとも１つに記載の医用画像処理装置。
【請求項１８】
前記生成部は、前記合成画像と前記第２画像にそれぞれ異なる情報を付与した状態において、前記合成画像及び前記第２画像を同一のＤＩＣＯＭファイルに格納する請求項１７に記載の医用画像処理装置。
【請求項１９】
前記読影情報は、前記第１画像の撮像方向に対応する模式図と、前記被検体の乳房を示す第１画像に対する所見コメントと、前記第１画像に対して設定された関心領域を示す図形との少なくとも何れかによって構成される請求項５から８の少なくとも１つに記載の医用画像処理装置。
【請求項２０】
医用画像診断装置によって撮影された被検体の乳房の第１画像、当該第１画像に関する読影情報、及び複数の表示画面のレイアウトを記憶する記憶部と、
前記第１画像と、前記読影情報を前記記憶部から読み込んで、前記複数の表示画面に対応する第２画像のレイアウトを決定する決定部と、
前記レイアウトに基づいて前記第２画像を生成し、前記記憶部に出力する生成部と、
オペレータからの入力情報を受け付ける入力部と、
前記入力部からの入力情報を受け付けて、前記第２画像を前記記憶部から読み出して、前記読み出した第２画像を前記表示画面に前記第１画像とともに送信する送信部と、
を有する医用画像処理装置。
【請求項２１】
医用画像診断装置によって撮影された被検体の乳房の第１画像に関する読影情報を記憶部から読み込む処理と、
前記読影情報に基づく関心領域の位置情報と、読影方向の情報とに基づいて乳房の模式図上に前記関心領域の位置に関する情報を付加するための模式図情報を生成する処理と、
前記模式図情報を含む、前記模式図を生成するための情報を送信する処理と
をコンピュータに実行させる医用情報処理プログラム。
【手続補正書】
【提出日】平成31年4月9日(2019.4.9)
【手続補正１】
【補正対象書類名】明細書
【補正対象項目名】００４０
【補正方法】変更
【補正の内容】
【００４０】
そして、被測定者は、脈波検出部２２が橈骨動脈ＴＤに対面するように筐体２０を位置決めした後、バンド４０の先端部４３を、手首Ｗに沿って周回させて、手の甲側から掌側、すなわち、検出面２１側から表示面２３側に向けて、先端部４３を第１端部２８の付近まで引き上げる。
【手続補正書】
【提出日】平成31年4月9日(2019.4.9)
【手続補正１】
【補正対象書類名】明細書
【補正対象項目名】００２５
【補正方法】変更
【補正の内容】
【００２５】
筐体２０における手首Ｗの周方向の両端部のうちの尺骨Ｓ側の第１端部２８（図１及び図２の例では筐体２０の尺骨Ｓ側の端面）には、第１係止部２９が設けられている。第１係止部２９は、第１端部２８において表示面２３側に設けられている。つまり、第１係止部２９は、筐体２０を表示面２３に垂直な方向で半分に分割した場合に、第１端部２８において表示面２３に近い側の部分に設けられている。なお、第１係止部２９は、第１端部２８において検出面２１側に設けられていてもよい。
【手続補正２】
【補正対象書類名】明細書
【補正対象項目名】００４５
【補正方法】変更
【補正の内容】
【００４５】
そして、被測定者は、脈波検出部２２が橈骨動脈ＴＤに対面するように筐体２０を位置決めした後、バンド４０の先端部４３を、手首Ｗに沿って周回させて、手の甲側から掌側、すなわち、検出面２１側から表示面２３側に向けて、先端部４３を第１端部２８の付近まで引き上げる。
【手続補正３】
【補正対象書類名】明細書
【補正対象項目名】００９１
【補正方法】変更
【補正の内容】
【００９１】
１０、１１、１２、１３  生体情報測定装置
２０、２０Ｂ  筐体
２０Ｃ  連結部
２１  検出面
２２  脈波検出部（検出部）
２３  表示面
２６  第２端部
２７  第２係止部
２８  第１端部
２９  第１係止部
３１  孔部
４０  バンド
４１  基端部
４２、４２Ａ、４５、４５Ａ  面状ファスナ
４３  先端部
４４  任意位置
１００  本体部
Ｓ  尺骨
Ｔ  橈骨
ＴＤ  橈骨動脈
Ｈ  左手
Ｗ  手首
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
放射線を検出する複数の放射線検出装置と、複数の放射線検出装置から取得される複数の放射線画像を合成して合成画像を生成する合成処理部を有した放射線撮影システムにおいて、
複数の放射線検出装置の内、少なくとも１つの放射線検出装置から出力される放射線画像について、散乱線を補正する散乱線補正部を備えることを特徴とする放射線撮影システム。
【請求項２】
互いに重なるように配置された、各々が放射線を検出して放射線画像を出力する複数の放射線検出装置と、
前記放射線画像のうちの、一以上の前記放射線検出装置の構造を含む欠陥領域に含まれる散乱線成分を低減する低減処理を行う散乱線補正部と、
前記複数の放射線検出装置から取得された複数の前記放射線画像に基づいて合成画像を生成する合成処理部と、
前記合成画像中の前記欠陥領域に対して、前記欠陥領域を除く画像領域の画素値を用いて、前記放射線検出装置の構造を低減する補正処理を行う画像補正部と、を有すること
を特徴とする放射線撮影システム。
【請求項３】
複数の射線検出装置が撮影台の長手方向に沿ってそれぞれ配置された場合、前記散乱線補正部は、中央に配置された放射線検出装置から出力される放射線画像について、散乱線を補正する処理を行うことを特徴とする請求項１または２に記載の放射線撮影システム。
【請求項４】
複数の射線検出装置が撮影台の長手方向に沿ってそれぞれ配置された場合、２つの放射線検出装置で挟まれた状態で配置された放射線検出装置から出力される放射線画像について、前記散乱線補正部は、散乱線を補正する処理を行うことを特徴とする請求項１または２に記載の放射線撮影システム。
【請求項５】
被検者の胸部又は腹部に最も近い位置に配置された放射線検出装置から出力される放射線画像について、前記散乱線補正部は、散乱線を補正する処理を行うことを特徴とする請求項１または２に記載の放射線撮影システム。
【請求項６】
前記散乱線補正部は、前記放射線検出装置が重ね合わせられた領域について、前記放射線検出装置の構造物を表す構造情報を用いて、散乱線を補正することを特徴とする請求項１または２に記載の放射線撮影システム。
【請求項７】
前記散乱線補正部は、被検者の体厚と、前記放射線検出装置の厚みを用いて、放射線検出装置が重ね合わせられた領域における放射線画像について、散乱線を補正することを特徴とする請求項１または２に記載の放射線撮影システム。
【請求項８】
前記散乱線補正部は、複数の放射線検出装置から出力される放射線画像について、被検者の計測部位の画質に影響がないように散乱線を補正することを特徴とする請求項１〜７のいずれか１項に記載の放射線撮影システム。
【請求項９】
前記散乱線補正部は、所定の部位に基づいて、放射線に含まれる散乱線の補正の度合いを設定することを特徴とする請求項１〜８のいずれか１項に記載の放射線撮影システム。
【請求項１０】
放射線を検出する複数の放射線検出装置と、複数の放射線検出装置から取得される複数の放射線画像を合成して合成画像を生成する合成処理部を有した放射線撮影システムにおいて、
複数の放射線検出装置から出力される放射線画像のそれぞれについて散乱線を一様に補正することを特徴とする放射線撮影システム。
【請求項１１】
複数の放射線検出装置から取得される複数の放射線画像を合成して合成画像を生成する放射線撮影方法において、複数の放射線検出装置の内、少なくとも１つの放射線検出装置から出力され放射線画像について、散乱線を補正することを特徴とする放射線撮影方法。
【請求項１２】
互いに重なるように配置された複数の放射線検出装置から取得される複数の放射線画像を合成して合成画像を生成する放射線撮影方法において、
前記放射線画像のうちの、一以上の前記放射線検出装置の構造を含む欠陥領域に含まれる散乱線成分を低減する低減処理を行う散乱線補正工程と、
前記複数の放射線検出装置から取得された複数の前記放射線画像に基づいて合成画像を生成する合成処理工程と、
前記合成画像中の前記欠陥領域に対して、前記欠陥領域を除く画像領域の画素値を用いて、前記放射線検出装置の構造を低減する補正処理を行う画像補正工程と、を有すること
を特徴とする放射線撮影方法。
【手続補正２】
【補正対象書類名】明細書
【補正対象項目名】０００５
【補正方法】変更
【補正の内容】
【０００５】
本発明の目的を達成するために、放射線を検出する複数の放射線検出装置と、複数の放射線検出装置から取得される複数の放射線画像を合成して合成画像を生成する合成処理部を有した放射線撮影システムにおいて、複数の放射線検出装置の内、少なくとも１つの放射線検出装置から出力される画像データについて、散乱線を補正する散乱線補正部を備える。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
遊技者による操作が可能な操作手段を備えた遊技機において、
前記操作手段を操作する呼出操作に基づいて、前記呼出操作が行われたことを示す呼出信号を当該遊技機の外部に出力する呼出信号出力手段と、
前記操作手段の役割を説明する所定の画像を、所定の表示手段に表示させることが可能な演出制御手段と、を備えていることを特徴とする遊技機。
【請求項２】
請求項１に記載の遊技機であって、
遊技の結果に影響を及ぼす制御処理を実行可能な制御手段が実装された基板を備え、
前記操作手段は、前記呼出操作に基づく操作信号を前記基板に出力可能なものであり、
前記基板に入力された前記操作信号は、前記制御手段の制御処理に用いられることなく前記基板から出力されることを特徴とする遊技機。
【手続補正２】
【補正対象書類名】明細書
【補正対象項目名】０００８
【補正方法】変更
【補正の内容】
【０００８】
本発明に係る遊技機は、
遊技者による操作が可能な操作手段を備えた遊技機において、
前記操作手段を操作する呼出操作に基づいて、前記呼出操作が行われたことを示す呼出信号を当該遊技機の外部に出力する呼出信号出力手段と、
前記操作手段の役割を説明する所定の画像を、所定の表示手段に表示させることが可能な演出制御手段と、を備えていることを特徴とする遊技機である。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて遊技者に有利な特別遊技状態に制御する遊技機において、
遊技者による操作が可能な操作手段と、
前記操作手段を操作する呼出操作に基づいて、前記呼出操作が行われたことを示す呼出信号を当該遊技機の外部に出力可能な呼出信号出力手段と、を備え、
前記呼出操作に基づいて前記操作手段から出力される操作信号は、当該呼出操作が行われてから当該操作手段に対して呼出解除操作が行われるまで出力され続けるものであることを特徴とする遊技機。
【請求項２】
請求項１に記載の遊技機において、
遊技の結果に影響を及ぼす制御処理を実行可能な制御手段と、
前記制御手段を実装する主基板と、を備え、
前記操作手段は、前記呼出操作に基づく操作信号を前記主基板に出力可能なものであり、
前記主基板に入力される前記操作信号は、前記制御手段の制御処理に用いられることなく、前記主基板から出力されるものであることを特徴とする遊技機。
【請求項３】
請求項１又は請求項２に記載の遊技機において、
前記操作手段は、
所定の第１位置又は第２位置に移動可能であり、
前記呼出操作に基づいて前記第１位置から前記第２位置に移動した後に、第２位置にある状態を維持可能であり、
前記第２位置にあることにより前記操作信号を出力し続けるものであることを特徴とする遊技機。
【手続補正２】
【補正対象書類名】明細書
【補正対象項目名】０００８
【補正方法】変更
【補正の内容】
【０００８】
本発明は、
所定の制御条件の成立に基づいて遊技者に有利な特別遊技状態に制御する遊技機において、
遊技者による操作が可能な操作手段と、
前記操作手段を操作する呼出操作に基づいて、前記呼出操作が行われたことを示す呼出信号を当該遊技機の外部に出力可能な呼出信号出力手段と、を備え、
前記呼出操作に基づいて前記操作手段から出力される操作信号は、当該呼出操作が行われてから当該操作手段に対して呼出解除操作が行われるまで出力され続けるものであることを特徴とする遊技機である。
【手続補正３】
【補正対象書類名】明細書
【補正対象項目名】０００９
【補正方法】削除
【補正の内容】
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
所定の制御条件の成立に基づいて遊技者に有利な特別遊技状態に制御する遊技機において、
遊技者による操作が可能な操作手段と、
前記操作手段を操作する呼出操作に基づいて、前記呼出操作が行われたことを示す呼出信号を当該遊技機の外部に出力可能な呼出信号出力手段と、
遊技の進行に伴う演出を制御可能な演出制御手段と、を備え、
前記演出制御手段は、所定の表示手段にて、前記操作手段が当該遊技機に設けられていることを示す操作手段存在画像を表示可能であることを特徴とする遊技機。
【請求項２】
請求項１に記載の遊技機において、
前記操作手段存在画像は、前記操作手段が当該遊技機に設けられている位置と前記操作手段の形状とを示す画像であることを特徴とする遊技機。
【請求項３】
請求項１又は請求項２に記載の遊技機において、
遊技の結果に影響を及ぼす制御処理を実行可能な制御手段と、
前記制御手段を実装する主基板と、を備え、
前記操作手段は、前記呼出操作に基づく操作信号を前記主基板に出力可能なものであり、
前記主基板に入力される前記操作信号は、前記制御手段の制御処理に用いられることなく、前記主基板から出力されるものであることを特徴とする遊技機。
【請求項４】
請求項１乃至請求項３の何れかに記載の遊技機において、
前記演出制御手段は、
客待ち演出を実行可能であり、
前記客待ち演出の実行中に前記操作手段存在画像を表示可能であることを特徴とする遊技機。
【手続補正２】
【補正対象書類名】明細書
【補正対象項目名】０００８
【補正方法】変更
【補正の内容】
【０００８】
本発明は、
所定の制御条件の成立に基づいて遊技者に有利な特別遊技状態に制御する遊技機において、
遊技者による操作が可能な操作手段と、
前記操作手段を操作する呼出操作に基づいて、前記呼出操作が行われたことを示す呼出信号を当該遊技機の外部に出力可能な呼出信号出力手段と、
遊技の進行に伴う演出を制御可能な演出制御手段と、を備え、
前記演出制御手段は、所定の表示手段にて、前記操作手段が当該遊技機に設けられていることを示す操作手段存在画像を表示可能であることを特徴とする遊技機である。
【手続補正３】
【補正対象書類名】明細書
【補正対象項目名】０００９
【補正方法】削除
【補正の内容】
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
遊技の結果に影響を及ぼす制御処理を実行可能な制御手段と、
前記制御手段を実装する主基板と、を備え、
所定の制御条件の成立に基づいて遊技者に有利な特別遊技状態に制御する遊技機において、
遊技者による操作が可能な操作手段と、
前記操作手段を操作する呼出操作に基づいて、前記呼出操作が行われたことを示す呼出信号を当該遊技機の外部に出力可能な呼出信号出力手段と、を備え、
前記操作手段は、前記呼出操作に基づく操作信号を前記主基板に出力可能なものであり、
前記主基板に入力される前記操作信号は、前記制御手段の制御処理に用いられることなく、前記主基板から出力されるものであり、
前記操作手段に対して前記呼出操作が行われると、当該呼出操作が行われたことを報知する呼出報知を実行可能な呼出報知手段を備えることを特徴とする遊技機。
【請求項２】
請求項１に記載の遊技機において、
前記呼出報知手段は、前記呼出報知として前記呼出操作が行われたことを示唆する呼出示唆画像を表示可能な画像表示手段であることを特徴とする遊技機。
【請求項３】
請求項１に記載の遊技機において、
前記呼出報知手段は、前記操作手段に設けられていることを特徴とする遊技機。
【手続補正２】
【補正対象書類名】明細書
【補正対象項目名】０００８
【補正方法】変更
【補正の内容】
【０００８】
本発明は、
遊技の結果に影響を及ぼす制御処理を実行可能な制御手段と、
前記制御手段を実装する主基板と、を備え、
所定の制御条件の成立に基づいて遊技者に有利な特別遊技状態に制御する遊技機において、
遊技者による操作が可能な操作手段と、
前記操作手段を操作する呼出操作に基づいて、前記呼出操作が行われたことを示す呼出信号を当該遊技機の外部に出力可能な呼出信号出力手段と、を備え、
前記操作手段は、前記呼出操作に基づく操作信号を前記主基板に出力可能なものであり、
前記主基板に入力される前記操作信号は、前記制御手段の制御処理に用いられることなく、前記主基板から出力されるものであり、
前記操作手段に対して前記呼出操作が行われると、当該呼出操作が行われたことを報知する呼出報知を実行可能な呼出報知手段を備えることを特徴とする遊技機である。
【手続補正３】
【補正対象書類名】明細書
【補正対象項目名】０００９
【補正方法】削除
【補正の内容】
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
第１入球口、及び、遊技球の入球し易さが変化可能な第２入球口と、
特別入賞口、前記特別入賞口を開閉する特別入賞口開閉部材、及び、前記特別入賞口に入賞した遊技球が通過可能な特定領域と、
前記第１入球口への入球に基づいて、少なくとも大当たりの判定を含む第１判定処理を行う第１判定手段と、
前記第２入球口への入球に基づいて、少なくとも小当たりの判定を含む第２判定処理を行う第２判定手段と、
前記小当たりに当選すると、停止表示された小当たり図柄の種別に応じた開放パターンにて前記特別入賞口開閉部材を開放させる第１特別遊技を行う第１特別遊技実行手段と、
前記大当たりに当選した場合、及び、前記第１特別遊技の実行中に前記特定領域へ遊技球が通過した場合に、遊技者に有利な第２特別遊技を実行する第２特別遊技実行手段と、
前記第２入球口への入球に基づいて、判定用情報を所定の上限数まで記憶可能な記憶手段と、を備え、
前記第２判定手段により小当たりと判定された場合における前記第１特別遊技では、前記特別入賞口開閉部材の開放パターンを前記特別入賞口に入賞した遊技球のうち少なくとも１球は前記特定領域に通過可能な通過開放パターンに制御するものであり、
前記第２特別遊技の実行中であって、前記記憶手段の中に小当たりとなる判定情報が含まれている場合に特別示唆演出を実行可能であることを特徴とする遊技機。
【手続補正２】
【補正対象書類名】明細書
【補正対象項目名】０００８
【補正方法】変更
【補正の内容】
【０００８】
本発明の遊技機は、
第１入球口、及び、遊技球の入球し易さが変化可能な第２入球口と、
特別入賞口、前記特別入賞口を開閉する特別入賞口開閉部材、及び、前記特別入賞口に入賞した遊技球が通過可能な特定領域と、
前記第１入球口への入球に基づいて、少なくとも大当たりの判定を含む第１判定処理を行う第１判定手段と、
前記第２入球口への入球に基づいて、少なくとも小当たりの判定を含む第２判定処理を行う第２判定手段と、
前記小当たりに当選すると、停止表示された小当たり図柄の種別に応じた開放パターンにて前記特別入賞口開閉部材を開放させる第１特別遊技を行う第１特別遊技実行手段と、
前記大当たりに当選した場合、及び、前記第１特別遊技の実行中に前記特定領域へ遊技球が通過した場合に、遊技者に有利な第２特別遊技を実行する第２特別遊技実行手段と、
前記第２入球口への入球に基づいて、判定用情報を所定の上限数まで記憶可能な記憶手段と、を備え、
前記第２判定手段により小当たりと判定された場合における前記第１特別遊技では、前記特別入賞口開閉部材の開放パターンを前記特別入賞口に入賞した遊技球のうち少なくとも１球は前記特定領域に通過可能な通過開放パターンに制御するものであり、
前記第２特別遊技の実行中であって、前記記憶手段の中に小当たりとなる判定情報が含まれている場合に特別示唆演出を実行可能であることを特徴とする遊技機である。
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
遊技者による操作が可能な操作手段を備えた遊技機において、
前記操作手段を操作する呼出操作に基づいて、前記呼出操作が行われたことを示す呼出信号を当該遊技機の外部に出力する呼出信号出力手段と、
前記操作手段が使用可能であることを想起させ得る第１態様と、前記操作手段が使用可能でないことを想起させ得る第２態様とをとり得る使用可否示唆手段と、
前記使用可否示唆手段が前記第１態様に制御される第１設定と、前記使用可否示唆手段が前記第２態様に制御される第２設定とのいずれかの設定に設定可能な示唆状態設定手段と、を備え、
前記示唆状態設定手段により前記第１設定に設定されている場合であっても、前記第２設定に設定されている場合であっても、前記呼出操作に基づいて前記呼出信号出力手段に前記呼出信号を出力させることが可能であることを特徴とする遊技機。
【請求項２】
請求項１に記載の遊技機であって、
遊技の結果に影響を及ぼす制御処理を実行可能な制御手段が実装された基板を備え、
前記操作手段は、前記呼出操作に基づく操作信号を前記基板に出力可能なものであり、
前記基板に入力された前記操作信号は、前記制御手段の制御処理に用いられることなく前記基板から出力されることを特徴とする遊技機。
【手続補正２】
【補正対象書類名】明細書
【補正対象項目名】０００８
【補正方法】変更
【補正の内容】
【０００８】
本発明に係る遊技機は、
遊技者による操作が可能な操作手段を備えた遊技機において、
前記操作手段を操作する呼出操作に基づいて、前記呼出操作が行われたことを示す呼出信号を当該遊技機の外部に出力する呼出信号出力手段と、
前記操作手段が使用可能であることを想起させ得る第１態様と、前記操作手段が使用可能でないことを想起させ得る第２態様とをとり得る使用可否示唆手段と、
前記使用可否示唆手段が前記第１態様に制御される第１設定と、前記使用可否示唆手段が前記第２態様に制御される第２設定とのいずれかの設定に設定可能な示唆状態設定手段と、を備え、
前記示唆状態設定手段により前記第１設定に設定されている場合であっても、前記第２設定に設定されている場合であっても、前記呼出操作に基づいて前記呼出信号出力手段に前記呼出信号を出力させることが可能であることを特徴とする遊技機である。